(57)【要約】【課題】寿命の短い活性種の活用が改善された空気清浄機を提供する。【解決手段】  脱臭フィルタ２３は、清浄化対象の空気が流れる機内の通風経路に設置される。活性種生成部４０を構成する放電電極４２及び対向電極４４は、通風経路から外れた位置に設けられ、活性種を生成する。活性種供給路である通風路５１は、脱臭フィルタ２３の空気流れ上流側に活性種を供給するための第１供給口６１を有する。通風路５１は、脱臭フィルタ２３を通過する空気流れ方向に見て放電電極４２及び対向電極４４から脱臭フィルタ２３までの間に第１供給口６１が配置されている。【選択図】図７
2019025020.tif 000002
【特許請求の範囲】
【請求項１】
清浄化対象の空気が流れる機内の通風経路に設置されるフィルタ（２１，２２，２３）と、
前記通風経路から外れた位置に設けられ、活性種を生成する活性種生成部（４０）と、
前記フィルタの空気流れ上流側に活性種を供給するための第１供給口（６１）を有する活性種供給路（５１）と
を備え、
前記活性種供給路は、前記フィルタを通過する空気流れ方向に見て前記活性種生成部から前記フィルタまでの間に前記第１供給口が配置されている、空気清浄機。
【請求項２】
前記活性種生成部は、前記フィルタの上側または下側に配置されている、
請求項１に記載の空気清浄機。
【請求項３】
前記活性種生成部は、前記フィルタの上側に配置され、
前記活性種供給路は、前記第１供給口が前記フィルタの上側に配置されるとともに、第２供給口が前記フィルタの左右に配置されている、
請求項２に記載の空気清浄機。
【請求項４】
前記フィルタを通過した空気流を分流して前記活性種生成部に流し、前記活性種生成部で生成された活性種を前記第１供給口に運ぶ空気流を形成するように構成されている、
請求項１から３のいずれか一項に記載の空気清浄機。
【請求項５】
前記第１供給口から出た気流を前記フィルタの方向に向ける導風板（４６）をさらに備える、
請求項１から４のいずれか一項に記載の空気清浄機。
【発明の詳細な説明】
【技術分野】
【０００１】
本発明は、  空気清浄機、特に空気清浄に活性種を用いる空気清浄機に関する。
【背景技術】
【０００２】
従来から、空気を浄化する場合に活性種を使って浄化機能を向上させることが行われている。例えば、特許文献１（特開２０１４−１０９３９０号公報）には、活性種を脱臭フィルタに供給するための活性種供給開口が脱臭フィルタの左右に設けられている。
【発明の概要】
【発明が解決しようとする課題】
【０００３】
しかしながら、特許文献１に記載されているように、脱臭フィルタの左右に活性種供給開口が設けられていると、比較的寿命の長いオゾン（Ｏ３）などの活性種は十分に活用されるものの比較的寿命の短いＮ２などの活性種が十分に活用されているとはいえない。
【０００４】
本発明の課題は、寿命の短い活性種の活用が改善された空気清浄機を提供することである。
【課題を解決するための手段】
【０００５】
本発明の第１観点に係る空気清浄機は、清浄化対象の空気が流れる機内の通風経路に設置されるフィルタと、通風経路から外れた位置に設けられ、活性種を生成する活性種生成部と、フィルタの空気流れ上流側に活性種を供給するための第１供給口を有する活性種供給路とを備え、活性種供給路は、フィルタを通過する空気流れ方向に見て活性種生成部からフィルタまでの間に第１供給口が配置されている。
【０００６】
第１観点に係る空気清浄機によれば、活性種供給路においては、フィルタを通過する空気流れ方向に見て活性種生成部からフィルタまでの間に第１供給口が配置されていることから、活性種生成部で生成された活性種が第１供給口を通過して最短距離に近い経路を通るようにフィルタの空気流れ上流側に供給されるので、例えば比較的エネルギーの高いＮ２は１０-4秒〜数秒の寿命であるが、このような比較的寿命の短い活性種もその一部を活用することができるようになる。
【０００７】
本発明の第２観点に係る空気清浄機は、第１観点に係る空気清浄機において、活性種生成部は、フィルタの上側または下側に配置されている、ものである。
【０００８】
第２観点に係る空気清浄機によれば、活性種生成部がフィルタの上側または下側に配置されていることから、例えば横から室内空気を吸い込む空気清浄機が多いので、活性種生成部の設置による機器の幅の拡大を抑制し易くなる。
【０００９】
本発明の第３観点に係る空気清浄機は、第２観点に係る空気清浄機において、活性種生成部は、フィルタの上側に配置され、活性種供給路は、第１供給口がフィルタの上側に配置されるとともに、第２供給口がフィルタの左右に配置されている、ものである。
【００１０】
第３観点に係る空気清浄機によれば、第１供給口がフィルタの上側に配置されるとともに第２供給口がフィルタの左右に配置されていることから、比較的寿命の長い活性種を第２供給口から供給して活性種の供給量を増やすことができる。
【００１１】
本発明の第４観点に係る空気清浄機は、第１観点から第３観点のいずれかに係る空気清浄機において、フィルタを通過した空気流を分流して活性種生成部に流し、活性種生成部で生成された活性種を第１供給口に運ぶ空気流を形成するように構成されている、ものである。
【００１２】
第４観点に係る空気清浄機によれば、フィルタを通過した空気流を分流して、活性種を第１供給口に運ぶ空気流を形成するように構成されていることから、活性種供給専用のファンを省いても、第１供給口に寿命の短い活性種を運ぶのに適した空気流を形成することができる。
【００１３】
本発明の第５観点に係る空気清浄機は、第１観点から第４観点のいずれかに係る空気清浄機において、第１供給口から出た気流をフィルタの方向に向ける導風板をさらに備える、ものである。
【００１４】
第５観点に係る空気清浄機によれば、導風板によって第１供給口から出た気流をフィルタの方向に向けることから、第１供給口から出た気流が大回りするのを防ぐことができる。
【発明の効果】
【００１５】
本発明の第１観点に係る空気清浄機では、寿命の短い活性種の活用が改善される。
【００１６】
本発明の第２観点に係る空気清浄機では、活性種生成部を設けることにともなう機器の大型化を抑制し易くなる。
【００１７】
本発明の第３観点に係る空気清浄機では、フィルタに付着した物質に対する活性種による分解作用を高めることができる。
【００１８】
本発明の第４観点に係る空気清浄機では、コストの上昇を抑制しつつ第１供給口の風速を確保して寿命の短い活性種を活用することができる。
【００１９】
本発明の第５観点に係る空気清浄機では、活性種を活性種生成後に短時間でフィルタへ到達させて寿命の短い活性種をより多く活用することができる。
【図面の簡単な説明】
【００２０】
【図１】実施形態に係る空気清浄機の一例を示す斜視図。
【図２】空気清浄機の空気の流れを説明するための模式図。
【図３】前面パネルを外した空気清浄機の斜視図。
【図４】前面パネルを外した空気清浄機の断面図。
【図５】ファンの周辺の構成を示す部分拡大斜視図。
【図６】ストリーマ放電ユニットの周辺の構造を示す部分拡大断面図。
【図７】図６の一部をさらに拡大した部分拡大断面図。
【図８】前面パネルを外した空気清浄機を前方下方から見上げた状態を示す部分拡大斜視図。
【図９】前面パネルを外した空気清浄機の左側を前方下方から見上げた状態を示す部分拡大斜視図。
【図１０】前面パネルとストリーマ放電ユニットを外した空気清浄機の部分拡大斜視図。
【図１１】前面パネルとストリーマ放電ユニットを外した空気清浄機の一部を破断して見下ろした状態を示す部分破断拡大斜視図。
【発明を実施するための形態】
【００２１】
（１）全体構成
以下、本発明の実施形態に係る空気清浄機について図を用いて説明する。なお、図１に示されている空気清浄機は加湿機能を備えているが、本発明にとって加湿機能が必須の構成ではないことから、加湿に関する構成の説明については多くを省いている。
【００２２】
（１−１）外観
図１には、本発明の一実施形態に係る空気清浄機の外観が示されている。空気清浄機１０は、本体１１と、本体１１の前側に取り付けられている前面パネル１２を備えている。空気清浄機１０には、本体１１の左右の側面１１ａに１つずつ、合計２つの吸込口１５が設けられている。また、空気清浄機１０には、本体１１の天面１１ｂに吹出口１６が設けられている。図１には、空気清浄機１０の側面１１ａのうちの左側面１１ａｂが描かれている。なお、前面パネル１２などの空気清浄機１０の前面側に表示部及び操作部が配置されるが、表示部及び操作部については本発明にとって重要ではないため、図１においてその記載を省略するとともに以下においてもこれらの説明を省く。
【００２３】
（１−２）空気の流れ
図２には、空気清浄についての説明のために気流と気流が通過する部材とが模式的に描かれている。空気清浄機１０は、気流の上流から下流に向って順に、プレフィルタ２１、ＨＥＰＡフィルタ２２、及び脱臭フィルタ２３を備えている。また、空気清浄機１０は、脱臭フィルタ２３の下流にファンロータ３１を備えており、このファンロータ３１を備えるファン３０（図４参照）によってプレフィルタ２１とＨＥＰＡフィルタ２２と脱臭フィルタ２３を通過する気流を発生させている。
【００２４】
左右の吸込口１５から吸い込まれた室内空気の流れＡｆ１，Ａｆ２は、まずプレフィルタ２１に達する。プレフィルタ２１を通過する室内空気からは、プレフィルタ２１によって比較的大きな塵埃が取り除かれる。
【００２５】
次に、プレフィルタ２１を通過した空気の流れＡｆ３はＨＥＰＡフィルタ２２に達する。ＨＥＰＡフィルタ２２を通過する空気からは、ＨＥＰＡフィルタ２２によって細かな塵埃が取り除かれる。
【００２６】
さらに、ＨＥＰＡフィルタ２２を通過した空気の流れＡｆ４は脱臭フィルタ２３に達する。脱臭フィルタ２３を通過する空気からは、脱臭フィルタ２３によって臭気成分が取り除かれる。
【００２７】
なお、プレフィルタ２１とＨＥＰＡフィルタ２２が近づけて配置され、またＨＥＰＡフィルタ２２と脱臭フィルタ２３が近づけて配置されていることから、空気の流れＡｆ３，Ａｆ４は非常に短い距離を流れるものであるが、流れの存在を分かり易くするために図２では比較的長く描かれている。
【００２８】
脱臭フィルタ２３を通過した空気の流れＡｆ５は、ファンロータ３１を通過した後に２つの空気の流れＡｆ６，Ａｆ７に分けられ、空気の流れＡｆ５に含まれていた空気の大部分は空気の流れＡｆ６となって吹出口１６から室内に吹き出される。この空気の流れＡｆ６とは別に、ファンロータ３１を通過した後に分離した空気の流れＡｆ７は、活性種生成部４０に向かう。活性種生成部４０を通過する空気には、活性種生成部４０によって活性種が供給される。活性種生成部４０を通過した空気の流れＡｆ８は、通風路５１，５２，５３に導かれる。通風路５１，５２，５３の第１供給口６１及び第２供給口６２，６３からは、プレフィルタ２１の前すなわち室内空気の流れＡｆ１，Ａｆ２に向かう空気の流れＡｆ９，Ａｆ１０，Ａｆ１１が形成される。
【００２９】
（２）詳細構成
（２−１）プレフィルタ２１
図３には、前面パネル１２を取り外して空気清浄機１０を左側面１１あｂの側の斜め上から見た状態が示されている。前面パネル１２を取り外すと、プレフィルタ２１が露出する。
【００３０】
プレフィルタ２１は、ポリプロピレン製の糸を張り巡らせたネット２１ａと、ネット２１ａの周囲に配置されてネット２１ａを支持するフレーム２１ｂとを有している。プレフィルタ２１のネット２１ａはクロスハッチングされている部分である。ネット２１ａを透かして見えている横線ＨＬは、ＨＥＰＡフィルタ２２のプリーツを形成するための折り目である。プレフィルタ２１を前から後に向かってみると、言い換えると、プレフィルタ２１を通過する空気流の方向に見ると、ネット２１ａの形状は概ね長方形である。このプレフィルタ２１では、長方形状のネット２１ａの網目にキャッチされる大きさの塵埃が除去される。
【００３１】
（２−２）ＨＥＰＡフィルタ２２
ＨＥＰＡフィルタ２２は、プリーツフィルタであり、プレフィルタ２１で集塵できない非常に細かい塵埃を取り除くことができる。例えば、いわゆるＰＭ２．５のような微小粒子状物質を捕らえることができる。ＨＥＰＡフィルタ２２を通過する空気流れの方向に見て、ＨＥＰＡフィルタ２２の形状は、ほぼ長方形である。このＨＥＰＡフィルタ２２の外周の大きさは、フレーム２１ｂの最外周とほぼ同じであり、縦に３列、横に３行並んでいる９つのネット２１ａの後には大きな１つのＨＥＰＡフィルタ２２が存在する。
【００３２】
（２−３）脱臭フィルタ２３
脱臭フィルタ２３は、例えば活性炭などを含むように構成されており、ＨＥＰＡフィルタ２２を通過した空気中から例えば臭気成分、排ガス、及びホルムアルデヒドなどの室内空気汚染物質を吸着することができるように構成されている。脱臭フィルタ２３に吸着された例えば臭気成分、排気ガス及び室内空気汚染物質には、自然に分解され難いものがある。そのため、分解されずに残っているものが増えれば、脱臭フィルタ２３の吸着能力が低下する原因ともなる。活性種生成部４０から供給される活性種は、脱臭フィルタ２３に吸着されて分解されないものも分解する機能を有している。従って、活性種生成部４０から多くの活性種が供給されると、脱臭フィルタ２３の性能が維持される期間を延ばすことができる。
【００３３】
（２−４）ファン３０
図４には、ファンロータ３１を横切る水平面で、図３に示された空気清浄機１０を切断した断面が示されている。図４においては、前面パネル１２が取り外されていることから、空気清浄機１０の左右方向の中央部においては、前から順に、プレフィルタ２１、ＨＥＰＡフィルタ２２、脱臭フィルタ２３、加湿ロータ９１、ファンロータ３１及びファン３０のモータ３２が並んで見えている。
【００３４】
プレフィルタ２１の左右には、吸込口１５の右側の壁面１５ａと左側の壁面１５ｂがある。右側の壁面１５ａに沿って室内空気の流れＡｆ１が形成され、左側の壁面１５ｂに沿って室内空気の流れＡｆ２が形成される。これらの流れＡｆ１，Ａｆ２の途中に、通風路５２，５３がある。これらの流れＡｆ１，Ａｆ２に続いて、流れＡｆ３，Ａｆ４，Ａｆ５が前から後に向って形成されている。
【００３５】
図５に示すように、ファン３０のファンロータ３１の周囲にはファンロータ３１が発生させた空気の流れＡｆ６，Ａｆ７が形成される。ファン３０には、空気の流れＡｆ６，Ａｆ７を導くためのファンスクロール３３が設けられている。ファンロータ３１によって送風される空気の多くは空気の流れＡｆ６となりファンスクロール３３によって吹出口１６に導かれる。ファンスクロール３３に設けられている導入口３４によって空気の流れＡｆ７が分岐されてストリーマ放電ユニット４１（図６参照）に導かれる。そのために、導入口３４は、ストリーマ放電ユニット４１の内部空間Ｓ１に続いている。吹出口１６には、フラップ１７（図６参照）が設けられており、吹出口１６から吹き出される気流の向きを変えることができる。
【００３６】
（２−５）ストリーマ放電ユニット４１
ストリーマ放電ユニット４１は、図６及び図７に示されているように、放電電極４３と対向電極４４とを備えている。この実施形態では、放電電極４３と対向電極４４とによって活性種生成部４０が構成されている。放電電極４３は、放電針（図示せず）を有している。活性種生成部４０は、放電電極４３の放電針と対向電極４４との間でストリーマ放電を生じさせる。このストリーマ放電によって、活性種が生じる。
【００３７】
ストリーマ放電によって種々の活性種が生じ、例えば活性種を構成する元素及び活性種の状態によって活性種の寿命の長さが異なる。比較的寿命の長いオゾンＯ３の活性種は、例えば１０３秒程度の寿命を持っているのに対して、比較的寿命の短いＮ２の活性種は１０−４秒〜数秒程度の寿命しか持たない。
【００３８】
ストリーマ放電ユニット４１の前側には、第１供給口６１が設けられている。放電電極４３の近傍で生じた活性種は、この第１供給口６１を通って空気の流れＡｆ９とともに脱臭フィルタ２３に供給される。図２に示されている通風路５１は、ストリーマ放電ユニット４１の内部に形成されている経路であって、放電電極４３と対向電極４４の近傍から第１供給口６１までの前後に短い活性種供給路である。つまり、このような活性種供給路である通風路５１は、脱臭フィルタ２３を通過する空気流れ方向に見て活性種生成部である放電電極４３と対向電極４４から脱臭フィルタ２３までの間に配置された第１供給口６１を有しているということになる。このように、空気の流れＡｆ８，Ａｆ９とともに活性種を脱臭フィルタ２３まで届けるため、例えば比較的寿命の短いＮ２の活性種を寿命の期間内に十分に脱臭フィルタ２３に供給することができる。
【００３９】
ストリーマ放電ユニット４１の第１供給口６１の前には、導風板４６が設けられている。導風板４６は、空気の流れＡｆ９を発散させずに、プレフィルタ２１へと導く機能を有している。図８には、前面パネル１２が取り外された空気清浄機１０を前下方から見上げた状態が示されている。そのため、導風板４６によって隠れることなく、第１供給口６１を描くことができている。図８から分かるように、第１供給口６１は複数設けられている。この実施形態では第１供給口６１が４個設けられている。放電電極４３と対向電極４４は、いずれも左右の長い範囲に配置されており、これら４個の第１供給口６１の近傍に存在している。
【００４０】
（２−６）通風路５２，５３
通風路５２，５３は、例えば、図８、図９、図１０及び図１１に記載されている。通風路５２，５３は、ストリーマ放電ユニット４１の下から下方に向って上下方向に延びている。通風路５２，５３は、いずれも、筒状であって内部に空洞Ｓ２，Ｓ３（図４参照）が形成されている。通風路５２はプレフィルタ２１の右側に配置され、通風路５３はプレフィルタ２１の左側に配置され、通風路５２，５３のいずれもプレフィルタ２１に平行に延びている。通風路５２には、上下方向に並べて複数の第２供給口６２が設けられており、通風路５３には、上下方向に並べて複数の第２供給口６３が設けられており、これら第２供給口６２．６３が空洞Ｓ２，Ｓ３に繋がっている。この実施形態では、複数の第２供給口６２が等間隔に配置され、複数の第２供給口６３が等間隔に配置されている。
【００４１】
ストリーマ放電ユニット４１の内部空間Ｓ１は、図１０及び図１１に示されている貫通穴５４，５５に繋がる開口部（図示せず）を下方に有している。これら貫通穴５４，５５は、それぞれ通風路５２，５３の空洞Ｓ２，Ｓ３に繋がっている。
【００４２】
（３）変形例
（３−１）変形例１Ａ
上記実施形態では、活性種生成部４０である放電電極４３と対向電極４４が脱臭フィルタ２３の上に設けられているが、活性種生成部が脱臭フィルタ２３の下に設けられてもよい。
【００４３】
（３−２）変形例１Ｂ
上記実施形態では、脱臭フィルタ２３で活性種による分解が行われる場合について説明したが、プレフィルタ２１及び／またはＨＥＰＡフィルタ２２で活性種が活用されてもよい。さらには、他のフィルタをこれらのフィルタが設けられている場所に配置して他のフィルタで活性種が活用されるように構成されてもよい。
【００４４】
（３−３）変形例１Ｃ
上記実施形態では、活性種供給路である通風路５１と活性種生成部４０である放電電極４３と対向電極４４とがストリーマ放電ユニット４１として一体化している場合について説明したが、活性種供給路である通風路５１と活性種生成部４０である放電電極４３と対向電極４４とは、別部材として構成されてもよい。
【００４５】
（４）特徴
（４−１）
以上説明したように、脱臭フィルタ２３までの間に空気の流れＡｆ１〜Ａｆ４が通る機内の通風経路を通過する外れた位置に活性種生成部４０である放電電極４３と対向電極４４が配置されている。そして、図７及び図８を用いて説明したように、前後方向に見て、活性種供給路である通風路５１の第１供給口６１が、放電電極４３と対向電極４４から脱臭フィルタ２３までの間に配置されている。上述の実施形態では、脱臭フィルタ２３を空気が前から後にほぼ直線的に通過するので、前後方向が脱臭フィルタ２３を通過する空気流れ方向に一致する。上記実施形態では、正面視において第１供給口６１が対向電極４４と重なるが、このような場合も第１供給口が活性種生成部からフィルタまでの間に配置されているという条件を満たす。
【００４６】
活性種生成部４０で生成された活性種が第１供給口６１を通過して最短距離に近い経路を通るように脱臭フィルタ２３の空気流れ上流側に供給されるので、寿命の短い活性種、例えば比較的寿命の短いものの比較的エネルギーの高いＮ２なども活用することができるようになる。なお、変形例１Ｂで説明したように、脱臭フィルタ２３の代わりにプレフィルタ２１及び／またはＨＥＰＡフィルタ２２で活性種が活用される場合も同様の効果を奏する。
【００４７】
（４−２）
上記実施形態では、活性種生成部４０が脱臭フィルタ２３の上側に配置されていることから、横から室内空気を吸い込む空気清浄機１０においては、活性種生成部４０の設置によって機器の幅が拡大するのを抑制できている。脱臭フィルタ２３の下側に活性種生成部４０である放電電極４３と対向電極４４が配置される場合も、活性種生成部４０が脱臭フィルタ２３の上側に配置される場合と同様に、活性種生成部４０を設けることにともなう空気清浄機１０の大型化を抑制し易くなるという効果を奏する。
【００４８】
（４−３）
上記実施形態の空気清浄機１０においては、第１供給口６１が脱臭フィルタ２３の上側に配置されるとともに第２供給口６２がフィルタの左右に配置されていることから、比較的寿命の長い活性種を第２供給口６２から供給して活性種の供給量を増やすことができる。その結果、脱臭フィルタ２３に付着した物質に対する活性種による分解作用を高めることができる。
【００４９】
（４−４）
上記実施形態の空気清浄機１０においては、脱臭フィルタ２３を通過した空気流を導入口３４によって分流して、活性種を第１供給口６１に運ぶ空気流を形成するように構成されていることから、活性種供給専用のファンを省いても、第１供給口６１に寿命の短い活性種を運ぶのに適した空気流を形成することができている。その結果、コストの上昇を抑制しつつ第１供給口６１の風速を確保して寿命の短い活性種を十分に活用することができる。
【００５０】
（４−５）
上記実施形態の空気清浄機１０においては、導風板４６によって第１供給口６１から出た気流を脱臭フィルタ２３の方向に向けることから、第１供給口６１から出た気流が大回りするのを防ぐことができる。その結果、活性種生成後に短時間で活性種をフィルタへ到達させて寿命の短い活性種をより多く活用することができる。
【符号の説明】
【００５１】
１０  空気清浄機
２１  プレフィルタ
２２  ＨＥＰＡフィルタ
２３  脱臭フィルタ
３０  ファン
３１  ファンロータ
３４  導入口
４０  活性種生成部
４１  ストリーマ放電ユニット
４３  放電電極
４４  対向電極
４６  導風板
５１〜５３  通風路
６１  第１供給口
６２，６３  第２供給口
【先行技術文献】
【特許文献】
【００５２】
【特許文献１】特開２０１４−１０９３９０号公報
【図１】
2019025020.tif 000003
【図２】
2019025020.tif 000004
【図３】
2019025020.tif 000005
【図４】
2019025020.tif 000006
【図５】
2019025020.tif 000007
【図６】
2019025020.tif 000008
【図７】
2019025020.tif 000009
【図８】
2019025020.tif 000010
【図９】
2019025020.tif 000011
【図１０】
2019025020.tif 000012
【図１１】
2019025020.tif 000013
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
清浄化対象の空気が流れる機内の通風経路に設置されるフィルタ（２１，２２，２３）と、
前記通風経路から外れた位置に設けられ、活性種を生成する活性種生成部（４０）と、
前記フィルタの空気流れ上流側に活性種を供給するための第１供給口（６１）を有する活性種供給路（５１）と
を備え、
前記活性種供給路は、前記フィルタを通過する空気流れ方向に見て前記活性種生成部と重なるように及び／または前記活性種生成部と前記フィルタとの間に前記第１供給口が配置されている、空気清浄機。
【請求項２】
前記活性種生成部は、前記フィルタの上側または下側に配置されている、
請求項１に記載の空気清浄機。
【請求項３】
前記活性種生成部は、前記フィルタの上側に配置され、
前記活性種供給路は、前記第１供給口が前記フィルタの上側に配置されるとともに、第２供給口が正面視において前記フィルタの左右に配置されている、
請求項２に記載の空気清浄機。
【請求項４】
前記フィルタを通過した空気流を分流して前記活性種生成部に流し、前記活性種生成部で生成された活性種を前記第１供給口に運ぶ空気流を形成するように構成されている、
請求項１から３のいずれか一項に記載の空気清浄機。
【請求項５】
前記第１供給口から出た気流を前記フィルタの方向に向ける導風板（４６）をさらに備える、
請求項１から４のいずれか一項に記載の空気清浄機。
【請求項６】
前記活性種生成部は、前記フィルタの上側に配置され且つ、上下方向に見て前記フィルタと重なる位置に配置されている、
請求項２に記載の空気清浄機。
【請求項７】
前記活性種生成部は、正面視において左右に延びるように配置されている、
請求項１から６のいずれか一項に記載の空気清浄機。
【請求項８】
前記第１供給口は、前記活性種生成部に沿って複数並んでいる、
請求項７に記載の空気清浄機。
【手続補正２】
【補正対象書類名】明細書
【補正対象項目名】全文
【補正方法】変更
【補正の内容】
【発明の詳細な説明】
【技術分野】
【０００１】
本発明は、  空気清浄機、特に空気清浄に活性種を用いる空気清浄機に関する。
【背景技術】
【０００２】
従来から、空気を浄化する場合に活性種を使って浄化機能を向上させることが行われている。例えば、特許文献１（特開２０１４−１０９３９０号公報）には、活性種を脱臭フィルタに供給するための活性種供給開口が脱臭フィルタの左右に設けられている。
【発明の概要】
【発明が解決しようとする課題】
【０００３】
しかしながら、特許文献１に記載されているように、脱臭フィルタの左右に活性種供給開口が設けられていると、比較的寿命の長いオゾン（Ｏ３）などの活性種は十分に活用されるものの比較的寿命の短いＮ２などの活性種が十分に活用されているとはいえない。
【０００４】
本発明の課題は、寿命の短い活性種の活用が改善された空気清浄機を提供することである。
【課題を解決するための手段】
【０００５】
本発明の第１観点に係る空気清浄機は、清浄化対象の空気が流れる機内の通風経路に設置されるフィルタと、通風経路から外れた位置に設けられ、活性種を生成する活性種生成部と、フィルタの空気流れ上流側に活性種を供給するための第１供給口を有する活性種供給路とを備え、活性種供給路は、フィルタを通過する空気流れ方向に見て活性種生成部と重なるように及び／または活性種生成部とフィルタとの間に第１供給口が配置されている。
【０００６】
第１観点に係る空気清浄機によれば、活性種供給路においては、フィルタを通過する空気流れ方向に見て活性種生成部と重なるように及び／または活性種生成部とフィルタとの間に、言い換えると活性種生成部からフィルタまでの間に第１供給口が配置されていることから、活性種生成部で生成された活性種が第１供給口を通過して最短距離に近い経路を通るようにフィルタの空気流れ上流側に供給されるので、例えば比較的エネルギーの高いＮ２は１０-4秒〜数秒の寿命であるが、このような比較的寿命の短い活性種もその一部を活用することができるようになる。
【０００７】
本発明の第２観点に係る空気清浄機は、第１観点に係る空気清浄機において、活性種生成部は、フィルタの上側または下側に配置されている、ものである。
【０００８】
第２観点に係る空気清浄機によれば、活性種生成部がフィルタの上側または下側に配置されていることから、例えば横から室内空気を吸い込む空気清浄機が多いので、活性種生成部の設置による機器の幅の拡大を抑制し易くなる。
【０００９】
本発明の第３観点に係る空気清浄機は、第２観点に係る空気清浄機において、活性種生成部は、フィルタの上側に配置され、活性種供給路は、第１供給口がフィルタの上側に配置されるとともに、第２供給口がフィルタの左右に配置されている、ものである。
【００１０】
第３観点に係る空気清浄機によれば、第１供給口がフィルタの上側に配置されるとともに第２供給口が正面視においてフィルタの左右に配置されていることから、比較的寿命の長い活性種を第２供給口から供給して活性種の供給量を増やすことができる。
【００１１】
本発明の第４観点に係る空気清浄機は、第１観点から第３観点のいずれかに係る空気清浄機において、フィルタを通過した空気流を分流して活性種生成部に流し、活性種生成部で生成された活性種を第１供給口に運ぶ空気流を形成するように構成されている、ものである。
【００１２】
第４観点に係る空気清浄機によれば、フィルタを通過した空気流を分流して、活性種を第１供給口に運ぶ空気流を形成するように構成されていることから、活性種供給専用のファンを省いても、第１供給口に寿命の短い活性種を運ぶのに適した空気流を形成することができる。
【００１３】
本発明の第５観点に係る空気清浄機は、第１観点から第４観点のいずれかに係る空気清浄機において、第１供給口から出た気流をフィルタの方向に向ける導風板をさらに備える、ものである。
【００１４】
第５観点に係る空気清浄機によれば、導風板によって第１供給口から出た気流をフィルタの方向に向けることから、第１供給口から出た気流が大回りするのを防ぐことができる。
【００１５】
本発明の第６観点に係る空気清浄機は、第２観点に係る空気清浄機において、活性種生成部が、フィルタの上側に配置され且つ、上下方向に見てフィルタと重なる位置に配置されている、ものである。
【００１６】
本発明の第７観点に係る空気清浄機は、第１観点から第６観点のいずれかに係る空気清浄機において、活性種生成部が、正面視において左右に延びるように配置されている、ものである。
【００１７】
本発明の第８観点に係る空気清浄機は、第７観点に係る空気清浄機において、少なくとも一つの第１供給口が、活性種生成部に沿って複数並んでいる、ものである。
【発明の効果】
【００１８】
本発明の第１観点、第６観点、第７観点または第８観点に係る空気清浄機では、寿命の短い活性種の活用が改善される。
【００１９】
本発明の第２観点に係る空気清浄機では、活性種生成部を設けることにともなう機器の大型化を抑制し易くなる。
【００２０】
本発明の第３観点に係る空気清浄機では、フィルタに付着した物質に対する活性種による分解作用を高めることができる。
【００２１】
本発明の第４観点に係る空気清浄機では、コストの上昇を抑制しつつ第１供給口の風速を確保して寿命の短い活性種を活用することができる。
【００２２】
本発明の第５観点に係る空気清浄機では、活性種を活性種生成後に短時間でフィルタへ到達させて寿命の短い活性種をより多く活用することができる。
【図面の簡単な説明】
【００２３】
【図１】実施形態に係る空気清浄機の一例を示す斜視図。
【図２】空気清浄機の空気の流れを説明するための模式図。
【図３】前面パネルを外した空気清浄機の斜視図。
【図４】前面パネルを外した空気清浄機の断面図。
【図５】ファンの周辺の構成を示す部分拡大斜視図。
【図６】ストリーマ放電ユニットの周辺の構造を示す部分拡大断面図。
【図７】図６の一部をさらに拡大した部分拡大断面図。
【図８】前面パネルを外した空気清浄機を前方下方から見上げた状態を示す部分拡大斜視図。
【図９】前面パネルを外した空気清浄機の左側を前方下方から見上げた状態を示す部分拡大斜視図。
【図１０】前面パネルとストリーマ放電ユニットを外した空気清浄機の部分拡大斜視図。
【図１１】前面パネルとストリーマ放電ユニットを外した空気清浄機の一部を破断して見下ろした状態を示す部分破断拡大斜視図。
【発明を実施するための形態】
【００２４】
（１）全体構成
以下、本発明の実施形態に係る空気清浄機について図を用いて説明する。なお、図１に示されている空気清浄機は加湿機能を備えているが、本発明にとって加湿機能が必須の構成ではないことから、加湿に関する構成の説明については多くを省いている。
【００２５】
（１−１）外観
図１には、本発明の一実施形態に係る空気清浄機の外観が示されている。空気清浄機１０は、本体１１と、本体１１の前側に取り付けられている前面パネル１２を備えている。空気清浄機１０には、本体１１の左右の側面１１ａに１つずつ、合計２つの吸込口１５が設けられている。また、空気清浄機１０には、本体１１の天面１１ｂに吹出口１６が設けられている。図１には、空気清浄機１０の側面１１ａのうちの左側面１１ａｂが描かれている。なお、前面パネル１２などの空気清浄機１０の前面側に表示部及び操作部が配置されるが、表示部及び操作部については本発明にとって重要ではないため、図１においてその記載を省略するとともに以下においてもこれらの説明を省く。
【００２６】
（１−２）空気の流れ
図２には、空気清浄についての説明のために気流と気流が通過する部材とが模式的に描かれている。空気清浄機１０は、気流の上流から下流に向って順に、プレフィルタ２１、ＨＥＰＡフィルタ２２、及び脱臭フィルタ２３を備えている。また、空気清浄機１０は、脱臭フィルタ２３の下流にファンロータ３１を備えており、このファンロータ３１を備えるファン３０（図４参照）によってプレフィルタ２１とＨＥＰＡフィルタ２２と脱臭フィルタ２３を通過する気流を発生させている。
【００２７】
左右の吸込口１５から吸い込まれた室内空気の流れＡｆ１，Ａｆ２は、まずプレフィルタ２１に達する。プレフィルタ２１を通過する室内空気からは、プレフィルタ２１によって比較的大きな塵埃が取り除かれる。
【００２８】
次に、プレフィルタ２１を通過した空気の流れＡｆ３はＨＥＰＡフィルタ２２に達する。ＨＥＰＡフィルタ２２を通過する空気からは、ＨＥＰＡフィルタ２２によって細かな塵埃が取り除かれる。
【００２９】
さらに、ＨＥＰＡフィルタ２２を通過した空気の流れＡｆ４は脱臭フィルタ２３に達する。脱臭フィルタ２３を通過する空気からは、脱臭フィルタ２３によって臭気成分が取り除かれる。
【００３０】
なお、プレフィルタ２１とＨＥＰＡフィルタ２２が近づけて配置され、またＨＥＰＡフィルタ２２と脱臭フィルタ２３が近づけて配置されていることから、空気の流れＡｆ３，Ａｆ４は非常に短い距離を流れるものであるが、流れの存在を分かり易くするために図２では比較的長く描かれている。
【００３１】
脱臭フィルタ２３を通過した空気の流れＡｆ５は、ファンロータ３１を通過した後に２つの空気の流れＡｆ６，Ａｆ７に分けられ、空気の流れＡｆ５に含まれていた空気の大部分は空気の流れＡｆ６となって吹出口１６から室内に吹き出される。この空気の流れＡｆ６とは別に、ファンロータ３１を通過した後に分離した空気の流れＡｆ７は、活性種生成部４０に向かう。活性種生成部４０を通過する空気には、活性種生成部４０によって活性種が供給される。活性種生成部４０を通過した空気の流れＡｆ８は、通風路５１，５２，５３に導かれる。通風路５１，５２，５３の第１供給口６１及び第２供給口６２，６３からは、プレフィルタ２１の前すなわち室内空気の流れＡｆ１，Ａｆ２に向かう空気の流れＡｆ９，Ａｆ１０，Ａｆ１１が形成される。
【００３２】
（２）詳細構成
（２−１）プレフィルタ２１
図３には、前面パネル１２を取り外して空気清浄機１０を左側面１１ａｂの側の斜め上から見た状態が示されている。前面パネル１２を取り外すと、プレフィルタ２１が露出する。
【００３３】
プレフィルタ２１は、ポリプロピレン製の糸を張り巡らせたネット２１ａと、ネット２１ａの周囲に配置されてネット２１ａを支持するフレーム２１ｂとを有している。プレフィルタ２１のネット２１ａはクロスハッチングされている部分である。ネット２１ａを透かして見えている横線ＨＬは、ＨＥＰＡフィルタ２２のプリーツを形成するための折り目である。プレフィルタ２１を前から後に向かってみると、言い換えると、プレフィルタ２１を通過する空気流の方向に見ると、ネット２１ａの形状は概ね長方形である。このプレフィルタ２１では、長方形状のネット２１ａの網目にキャッチされる大きさの塵埃が除去される。
【００３４】
（２−２）ＨＥＰＡフィルタ２２
ＨＥＰＡフィルタ２２は、プリーツフィルタであり、プレフィルタ２１で集塵できない非常に細かい塵埃を取り除くことができる。例えば、いわゆるＰＭ２．５のような微小粒子状物質を捕らえることができる。ＨＥＰＡフィルタ２２を通過する空気流れの方向に見て、ＨＥＰＡフィルタ２２の形状は、ほぼ長方形である。このＨＥＰＡフィルタ２２の外周の大きさは、フレーム２１ｂの最外周とほぼ同じであり、縦に３列、横に３行並んでいる９つのネット２１ａの後には大きな１つのＨＥＰＡフィルタ２２が存在する。
【００３５】
（２−３）脱臭フィルタ２３
脱臭フィルタ２３は、例えば活性炭などを含むように構成されており、ＨＥＰＡフィルタ２２を通過した空気中から例えば臭気成分、排ガス、及びホルムアルデヒドなどの室内空気汚染物質を吸着することができるように構成されている。脱臭フィルタ２３に吸着された例えば臭気成分、排気ガス及び室内空気汚染物質には、自然に分解され難いものがある。そのため、分解されずに残っているものが増えれば、脱臭フィルタ２３の吸着能力が低下する原因ともなる。活性種生成部４０から供給される活性種は、脱臭フィルタ２３に吸着されて分解されないものも分解する機能を有している。従って、活性種生成部４０から多くの活性種が供給されると、脱臭フィルタ２３の性能が維持される期間を延ばすことができる。
【００３６】
（２−４）ファン３０
図４には、ファンロータ３１を横切る水平面で、図３に示された空気清浄機１０を切断した断面が示されている。図４においては、前面パネル１２が取り外されていることから、空気清浄機１０の左右方向の中央部においては、前から順に、プレフィルタ２１、ＨＥＰＡフィルタ２２、脱臭フィルタ２３、加湿ロータ９１、ファンロータ３１及びファン３０のモータ３２が並んで見えている。
【００３７】
プレフィルタ２１の左右には、吸込口１５の右側の壁面１５ａと左側の壁面１５ｂがある。右側の壁面１５ａに沿って室内空気の流れＡｆ１が形成され、左側の壁面１５ｂに沿って室内空気の流れＡｆ２が形成される。これらの流れＡｆ１，Ａｆ２の途中に、通風路５２，５３がある。これらの流れＡｆ１，Ａｆ２に続いて、流れＡｆ３，Ａｆ４，Ａｆ５が前から後に向って形成されている。
【００３８】
図５に示すように、ファン３０のファンロータ３１の周囲にはファンロータ３１が発生させた空気の流れＡｆ６，Ａｆ７が形成される。ファン３０には、空気の流れＡｆ６，Ａｆ７を導くためのファンスクロール３３が設けられている。ファンロータ３１によって送風される空気の多くは空気の流れＡｆ６となりファンスクロール３３によって吹出口１６に導かれる。ファンスクロール３３に設けられている導入口３４によって空気の流れＡｆ７が分岐されてストリーマ放電ユニット４１（図６参照）に導かれる。そのために、導入口３４は、ストリーマ放電ユニット４１の内部空間Ｓ１に続いている。吹出口１６には、フラップ１７（図６参照）が設けられており、吹出口１６から吹き出される気流の向きを変えることができる。
【００３９】
（２−５）ストリーマ放電ユニット４１
ストリーマ放電ユニット４１は、図６及び図７に示されているように、放電電極４３と対向電極４４とを備えている。この実施形態では、放電電極４３と対向電極４４とによって活性種生成部４０が構成されている。放電電極４３は、放電針（図示せず）を有している。活性種生成部４０は、放電電極４３の放電針と対向電極４４との間でストリーマ放電を生じさせる。このストリーマ放電によって、活性種が生じる。
【００４０】
ストリーマ放電によって種々の活性種が生じ、例えば活性種を構成する元素及び活性種の状態によって活性種の寿命の長さが異なる。比較的寿命の長いオゾンＯ３の活性種は、例えば１０３秒程度の寿命を持っているのに対して、比較的寿命の短いＮ２の活性種は１０−４秒〜数秒程度の寿命しか持たない。
【００４１】
ストリーマ放電ユニット４１の前側には、第１供給口６１が設けられている。放電電極４３の近傍で生じた活性種は、この第１供給口６１を通って空気の流れＡｆ９とともに脱臭フィルタ２３に供給される。図２に示されている通風路５１は、ストリーマ放電ユニット４１の内部に形成されている経路であって、放電電極４３と対向電極４４の近傍から第１供給口６１までの前後に短い活性種供給路である。つまり、このような活性種供給路である通風路５１は、脱臭フィルタ２３を通過する空気流れ方向に見て活性種生成部である放電電極４３と対向電極４４から脱臭フィルタ２３までの間に配置された第１供給口６１を有しているということになる。このように、空気の流れＡｆ８，Ａｆ９とともに活性種を脱臭フィルタ２３まで届けるため、例えば比較的寿命の短いＮ２の活性種を寿命の期間内に十分に脱臭フィルタ２３に供給することができる。
【００４２】
ストリーマ放電ユニット４１の第１供給口６１の前には、導風板４６が設けられている。導風板４６は、空気の流れＡｆ９を発散させずに、プレフィルタ２１へと導く機能を有している。図８には、前面パネル１２が取り外された空気清浄機１０を前下方から見上げた状態が示されている。そのため、導風板４６によって隠れることなく、第１供給口６１を描くことができている。図８から分かるように、第１供給口６１は複数設けられている。この実施形態では第１供給口６１が４個設けられている。放電電極４３と対向電極４４は、いずれも左右の長い範囲に配置されており、これら４個の第１供給口６１の近傍に存在している。
【００４３】
（２−６）通風路５２，５３
通風路５２，５３は、例えば、図８、図９、図１０及び図１１に記載されている。通風路５２，５３は、ストリーマ放電ユニット４１の下から下方に向って上下方向に延びている。通風路５２，５３は、いずれも、筒状であって内部に空洞Ｓ２，Ｓ３（図４参照）が形成されている。通風路５２はプレフィルタ２１の右側に配置され、通風路５３はプレフィルタ２１の左側に配置され、通風路５２，５３のいずれもプレフィルタ２１に平行に延びている。通風路５２には、上下方向に並べて複数の第２供給口６２が設けられており、通風路５３には、上下方向に並べて複数の第２供給口６３が設けられており、これら第２供給口６２．６３が空洞Ｓ２，Ｓ３に繋がっている。この実施形態では、複数の第２供給口６２が等間隔に配置され、複数の第２供給口６３が等間隔に配置されている。
【００４４】
ストリーマ放電ユニット４１の内部空間Ｓ１は、図１０及び図１１に示されている貫通穴５４，５５に繋がる開口部（図示せず）を下方に有している。これら貫通穴５４，５５は、それぞれ通風路５２，５３の空洞Ｓ２，Ｓ３に繋がっている。
【００４５】
（３）変形例
（３−１）変形例１Ａ
上記実施形態では、活性種生成部４０である放電電極４３と対向電極４４が脱臭フィルタ２３の上に設けられているが、活性種生成部が脱臭フィルタ２３の下に設けられてもよい。
【００４６】
（３−２）変形例１Ｂ
上記実施形態では、脱臭フィルタ２３で活性種による分解が行われる場合について説明したが、プレフィルタ２１及び／またはＨＥＰＡフィルタ２２で活性種が活用されてもよい。さらには、他のフィルタをこれらのフィルタが設けられている場所に配置して他のフィルタで活性種が活用されるように構成されてもよい。
【００４７】
（３−３）変形例１Ｃ
上記実施形態では、活性種供給路である通風路５１と活性種生成部４０である放電電極４３と対向電極４４とがストリーマ放電ユニット４１として一体化している場合について説明したが、活性種供給路である通風路５１と活性種生成部４０である放電電極４３と対向電極４４とは、別部材として構成されてもよい。
【００４８】
（４）特徴
（４−１）
以上説明したように、脱臭フィルタ２３までの間に空気の流れＡｆ１〜Ａｆ４が通る機内の通風経路を通過する外れた位置に活性種生成部４０である放電電極４３と対向電極４４が配置されている。そして、図７及び図８を用いて説明したように、前後方向に見て、活性種供給路である通風路５１の第１供給口６１が、放電電極４３と対向電極４４から脱臭フィルタ２３までの間に配置されている。上述の実施形態では、脱臭フィルタ２３を空気が前から後にほぼ直線的に通過するので、前後方向が脱臭フィルタ２３を通過する空気流れ方向に一致する。上記実施形態では、正面視において第１供給口６１が対向電極４４と重なるが、このような場合も第１供給口が活性種生成部からフィルタまでの間に配置されているという条件を満たす。
【００４９】
活性種生成部４０で生成された活性種が第１供給口６１を通過して最短距離に近い経路を通るように脱臭フィルタ２３の空気流れ上流側に供給されるので、寿命の短い活性種、例えば比較的寿命の短いものの比較的エネルギーの高いＮ２なども活用することができるようになる。なお、変形例１Ｂで説明したように、脱臭フィルタ２３の代わりにプレフィルタ２１及び／またはＨＥＰＡフィルタ２２で活性種が活用される場合も同様の効果を奏する。
【００５０】
（４−２）
上記実施形態では、活性種生成部４０が脱臭フィルタ２３の上側に配置されていることから、横から室内空気を吸い込む空気清浄機１０においては、活性種生成部４０の設置によって機器の幅が拡大するのを抑制できている。脱臭フィルタ２３の下側に活性種生成部４０である放電電極４３と対向電極４４が配置される場合も、活性種生成部４０が脱臭フィルタ２３の上側に配置される場合と同様に、活性種生成部４０を設けることにともなう空気清浄機１０の大型化を抑制し易くなるという効果を奏する。
【００５１】
（４−３）
上記実施形態の空気清浄機１０においては、第１供給口６１が脱臭フィルタ２３の上側に配置されるとともに第２供給口６２がフィルタの左右に配置されていることから、比較的寿命の長い活性種を第２供給口６２から供給して活性種の供給量を増やすことができる。その結果、脱臭フィルタ２３に付着した物質に対する活性種による分解作用を高めることができる。
【００５２】
（４−４）
上記実施形態の空気清浄機１０においては、脱臭フィルタ２３を通過した空気流を導入口３４によって分流して、活性種を第１供給口６１に運ぶ空気流を形成するように構成されていることから、活性種供給専用のファンを省いても、第１供給口６１に寿命の短い活性種を運ぶのに適した空気流を形成することができている。その結果、コストの上昇を抑制しつつ第１供給口６１の風速を確保して寿命の短い活性種を十分に活用することができる。
【００５３】
（４−５）
上記実施形態の空気清浄機１０においては、導風板４６によって第１供給口６１から出た気流を脱臭フィルタ２３の方向に向けることから、第１供給口６１から出た気流が大回りするのを防ぐことができる。その結果、活性種生成後に短時間で活性種をフィルタへ到達させて寿命の短い活性種をより多く活用することができる。
【符号の説明】
【００５４】
１０  空気清浄機
２１  プレフィルタ
２２  ＨＥＰＡフィルタ
２３  脱臭フィルタ
３０  ファン
３１  ファンロータ
３４  導入口
４０  活性種生成部
４１  ストリーマ放電ユニット
４３  放電電極
４４  対向電極
４６  導風板
５１〜５３  通風路
６１  第１供給口
６２，６３  第２供給口
【先行技術文献】
【特許文献】
【００５５】
【特許文献１】特開２０１４−１０９３９０号公報
【手続補正３】
【補正対象書類名】図面
【補正対象項目名】図１
【補正方法】変更
【補正の内容】
【図１】
2019025020.tif 000014
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
清浄化対象の空気が流れる機内の通風経路に設置されるフィルタ（２１，２２，２３）と、
前記通風経路から外れた位置に設けられ、活性種を生成する活性種生成部（４０）と、
前記フィルタの空気流れ上流側に活性種を供給するための第１供給口（６１）を有する活性種供給路（５１）と
を備え、
前記活性種生成部は、前記フィルタの上側に配置され且つ、上下方向に見て前記フィルタと重なる位置に配置され、
前記活性種供給路は、前記フィルタを通過する空気流れ方向に見て前記活性種生成部と重なるように及び／または前記活性種生成部と前記フィルタとの間に前記第１供給口が配置されている、空気清浄機。
【請求項２】
前記活性種生成部は、前記フィルタの上側に配置され、
前記活性種供給路は、前記第１供給口が前記フィルタの上側に配置されるとともに、第２供給口が正面視において前記フィルタの左右に配置されている、
請求項１に記載の空気清浄機。
【請求項３】
前記フィルタを通過した空気流を分流して前記活性種生成部に流し、前記活性種生成部で生成された活性種を前記第１供給口に運ぶ空気流を形成するように構成されている、
請求項１または請求項２に記載の空気清浄機。
【請求項４】
前記第１供給口から出た気流を前記フィルタの方向に向ける導風板（４６）をさらに備える、
請求項１から３のいずれか一項に記載の空気清浄機。
【請求項５】
前記活性種生成部は、正面視において左右に延びるように配置されている、
請求項１から４のいずれか一項に記載の空気清浄機。
【請求項６】
前記第１供給口は、前記活性種生成部に沿って複数並んでいる、
請求項５に記載の空気清浄機。
【請求項７】
前記活性種生成部は、ストリーマ放電により複数の活性種を生成する、
請求項１から６のいずれか一項に記載の空気清浄機。
【手続補正２】
【補正対象書類名】明細書
【補正対象項目名】全文
【補正方法】変更
【補正の内容】
【発明の詳細な説明】
【技術分野】
【０００１】
本発明は、  空気清浄機、特に空気清浄に活性種を用いる空気清浄機に関する。
【背景技術】
【０００２】
従来から、空気を浄化する場合に活性種を使って浄化機能を向上させることが行われている。例えば、特許文献１（特開２０１４−１０９３９０号公報）には、活性種を脱臭フィルタに供給するための活性種供給開口が脱臭フィルタの左右に設けられている。
【発明の概要】
【発明が解決しようとする課題】
【０００３】
しかしながら、特許文献１に記載されているように、脱臭フィルタの左右に活性種供給開口が設けられていると、比較的寿命の長いオゾン（Ｏ３）などの活性種は十分に活用されるものの比較的寿命の短いＮ２などの活性種が十分に活用されているとはいえない。
【０００４】
本発明の課題は、寿命の短い活性種の活用が改善された空気清浄機を提供することである。
【課題を解決するための手段】
【０００５】
本発明の第１観点に係る空気清浄機は、清浄化対象の空気が流れる機内の通風経路に設置されるフィルタと、通風経路から外れた位置に設けられ、活性種を生成する活性種生成部と、フィルタの空気流れ上流側に活性種を供給するための第１供給口を有する活性種供給路とを備え、活性種供給路は、フィルタを通過する空気流れ方向に見て活性種生成部と重なるように及び／または活性種生成部とフィルタとの間に第１供給口が配置されている。
【０００６】
第１観点に係る空気清浄機によれば、活性種供給路においては、フィルタを通過する空気流れ方向に見て活性種生成部と重なるように及び／または活性種生成部とフィルタとの間に、言い換えると活性種生成部からフィルタまでの間に第１供給口が配置されていることから、活性種生成部で生成された活性種が第１供給口を通過して最短距離に近い経路を通るようにフィルタの空気流れ上流側に供給されるので、例えば比較的エネルギーの高いＮ２は１０-4秒〜数秒の寿命であるが、このような比較的寿命の短い活性種もその一部を活用することができるようになる。
【０００７】
また、第１観点に係る空気清浄機は、活性種生成部は、フィルタの上側に配置されている、ものである。
【０００８】
第１観点に係る空気清浄機によれば、活性種生成部がフィルタの上側に配置されていることから、例えば横から室内空気を吸い込む空気清浄機が多いので、活性種生成部の設置による機器の幅の拡大を抑制し易くなる。
【０００９】
さらに、第１観点に係る空気清浄機は、活性種生成部が、上下方向に見てフィルタと重なる位置に配置されている、ものである。
【００１０】
本発明の第２観点に係る空気清浄機は、第１観点に係る空気清浄機において、活性種生成部は、フィルタの上側に配置され、活性種供給路は、第１供給口がフィルタの上側に配置されるとともに、第２供給口がフィルタの左右に配置されている、ものである。
【００１１】
第２観点に係る空気清浄機によれば、第１供給口がフィルタの上側に配置されるとともに第２供給口が正面視においてフィルタの左右に配置されていることから、比較的寿命の長い活性種を第２供給口から供給して活性種の供給量を増やすことができる。
【００１２】
本発明の第３観点に係る空気清浄機は、第１観点から第２観点のいずれかに係る空気清浄機において、フィルタを通過した空気流を分流して活性種生成部に流し、活性種生成部で生成された活性種を第１供給口に運ぶ空気流を形成するように構成されている、ものである。
【００１３】
第３観点に係る空気清浄機によれば、フィルタを通過した空気流を分流して、活性種を第１供給口に運ぶ空気流を形成するように構成されていることから、活性種供給専用のファンを省いても、第１供給口に寿命の短い活性種を運ぶのに適した空気流を形成することができる。
【００１４】
本発明の第４観点に係る空気清浄機は、第１観点から第３観点のいずれかに係る空気清浄機において、第１供給口から出た気流をフィルタの方向に向ける導風板をさらに備える、ものである。
【００１５】
第４観点に係る空気清浄機によれば、導風板によって第１供給口から出た気流をフィルタの方向に向けることから、第１供給口から出た気流が大回りするのを防ぐことができる。
【００１６】
本発明の第５観点に係る空気清浄機は、第１観点から第４観点のいずれかに係る空気清浄機において、活性種生成部が、正面視において左右に延びるように配置されている、ものである。
【００１７】
本発明の第６観点に係る空気清浄機は、第５観点に係る空気清浄機において、少なくとも一つの第１供給口が、活性種生成部に沿って複数並んでいる、ものである。
【００１８】
本発明の第７観点に係る空気清浄機は、第１観点から第６観点のいずれかに係る空気清浄機において、活性種生成部が、ストリーマ放電により複数の活性種を生成する、ものである。
【発明の効果】
【００１９】
本発明の第１観点、第５観点、第６観点または第７観点に係る空気清浄機では、寿命の短い活性種の活用が改善される。
【００２０】
また、第１観点に係る空気清浄機では、活性種生成部を設けることにともなう機器の大型化を抑制し易くなる。
【００２１】
本発明の第２観点に係る空気清浄機では、フィルタに付着した物質に対する活性種による分解作用を高めることができる。
【００２２】
本発明の第３観点に係る空気清浄機では、コストの上昇を抑制しつつ第１供給口の風速を確保して寿命の短い活性種を活用することができる。
【００２３】
本発明の第４観点に係る空気清浄機では、活性種を活性種生成後に短時間でフィルタへ到達させて寿命の短い活性種をより多く活用することができる。
【図面の簡単な説明】
【００２４】
【図１】実施形態に係る空気清浄機の一例を示す斜視図。
【図２】空気清浄機の空気の流れを説明するための模式図。
【図３】前面パネルを外した空気清浄機の斜視図。
【図４】前面パネルを外した空気清浄機の断面図。
【図５】ファンの周辺の構成を示す部分拡大斜視図。
【図６】ストリーマ放電ユニットの周辺の構造を示す部分拡大断面図。
【図７】図６の一部をさらに拡大した部分拡大断面図。
【図８】前面パネルを外した空気清浄機を前方下方から見上げた状態を示す部分拡大斜視図。
【図９】前面パネルを外した空気清浄機の左側を前方下方から見上げた状態を示す部分拡大斜視図。
【図１０】前面パネルとストリーマ放電ユニットを外した空気清浄機の部分拡大斜視図。
【図１１】前面パネルとストリーマ放電ユニットを外した空気清浄機の一部を破断して見下ろした状態を示す部分破断拡大斜視図。
【発明を実施するための形態】
【００２５】
（１）全体構成
以下、本発明の実施形態に係る空気清浄機について図を用いて説明する。なお、図１に示されている空気清浄機は加湿機能を備えているが、本発明にとって加湿機能が必須の構成ではないことから、加湿に関する構成の説明については多くを省いている。
【００２６】
（１−１）外観
図１には、本発明の一実施形態に係る空気清浄機の外観が示されている。空気清浄機１０は、本体１１と、本体１１の前側に取り付けられている前面パネル１２を備えている。空気清浄機１０には、本体１１の左右の側面１１ａに１つずつ、合計２つの吸込口１５が設けられている。また、空気清浄機１０には、本体１１の天面１１ｂに吹出口１６が設けられている。図１には、空気清浄機１０の側面１１ａのうちの左側面１１ａｂが描かれている。なお、前面パネル１２などの空気清浄機１０の前面側に表示部及び操作部が配置されるが、表示部及び操作部については本発明にとって重要ではないため、図１においてその記載を省略するとともに以下においてもこれらの説明を省く。
【００２７】
（１−２）空気の流れ
図２には、空気清浄についての説明のために気流と気流が通過する部材とが模式的に描かれている。空気清浄機１０は、気流の上流から下流に向って順に、プレフィルタ２１、ＨＥＰＡフィルタ２２、及び脱臭フィルタ２３を備えている。また、空気清浄機１０は、脱臭フィルタ２３の下流にファンロータ３１を備えており、このファンロータ３１を備えるファン３０（図４参照）によってプレフィルタ２１とＨＥＰＡフィルタ２２と脱臭フィルタ２３を通過する気流を発生させている。
【００２８】
左右の吸込口１５から吸い込まれた室内空気の流れＡｆ１，Ａｆ２は、まずプレフィルタ２１に達する。プレフィルタ２１を通過する室内空気からは、プレフィルタ２１によって比較的大きな塵埃が取り除かれる。
【００２９】
次に、プレフィルタ２１を通過した空気の流れＡｆ３はＨＥＰＡフィルタ２２に達する。ＨＥＰＡフィルタ２２を通過する空気からは、ＨＥＰＡフィルタ２２によって細かな塵埃が取り除かれる。
【００３０】
さらに、ＨＥＰＡフィルタ２２を通過した空気の流れＡｆ４は脱臭フィルタ２３に達する。脱臭フィルタ２３を通過する空気からは、脱臭フィルタ２３によって臭気成分が取り除かれる。
【００３１】
なお、プレフィルタ２１とＨＥＰＡフィルタ２２が近づけて配置され、またＨＥＰＡフィルタ２２と脱臭フィルタ２３が近づけて配置されていることから、空気の流れＡｆ３，Ａｆ４は非常に短い距離を流れるものであるが、流れの存在を分かり易くするために図２では比較的長く描かれている。
【００３２】
脱臭フィルタ２３を通過した空気の流れＡｆ５は、ファンロータ３１を通過した後に２つの空気の流れＡｆ６，Ａｆ７に分けられ、空気の流れＡｆ５に含まれていた空気の大部分は空気の流れＡｆ６となって吹出口１６から室内に吹き出される。この空気の流れＡｆ６とは別に、ファンロータ３１を通過した後に分離した空気の流れＡｆ７は、活性種生成部４０に向かう。活性種生成部４０を通過する空気には、活性種生成部４０によって活性種が供給される。活性種生成部４０を通過した空気の流れＡｆ８は、通風路５１，５２，５３に導かれる。通風路５１，５２，５３の第１供給口６１及び第２供給口６２，６３からは、プレフィルタ２１の前すなわち室内空気の流れＡｆ１，Ａｆ２に向かう空気の流れＡｆ９，Ａｆ１０，Ａｆ１１が形成される。
【００３３】
（２）詳細構成
（２−１）プレフィルタ２１
図３には、前面パネル１２を取り外して空気清浄機１０を左側面１１ａｂの側の斜め上から見た状態が示されている。前面パネル１２を取り外すと、プレフィルタ２１が露出する。
【００３４】
プレフィルタ２１は、ポリプロピレン製の糸を張り巡らせたネット２１ａと、ネット２１ａの周囲に配置されてネット２１ａを支持するフレーム２１ｂとを有している。プレフィルタ２１のネット２１ａはクロスハッチングされている部分である。ネット２１ａを透かして見えている横線ＨＬは、ＨＥＰＡフィルタ２２のプリーツを形成するための折り目である。プレフィルタ２１を前から後に向かってみると、言い換えると、プレフィルタ２１を通過する空気流の方向に見ると、ネット２１ａの形状は概ね長方形である。このプレフィルタ２１では、長方形状のネット２１ａの網目にキャッチされる大きさの塵埃が除去される。
【００３５】
（２−２）ＨＥＰＡフィルタ２２
ＨＥＰＡフィルタ２２は、プリーツフィルタであり、プレフィルタ２１で集塵できない非常に細かい塵埃を取り除くことができる。例えば、いわゆるＰＭ２．５のような微小粒子状物質を捕らえることができる。ＨＥＰＡフィルタ２２を通過する空気流れの方向に見て、ＨＥＰＡフィルタ２２の形状は、ほぼ長方形である。このＨＥＰＡフィルタ２２の外周の大きさは、フレーム２１ｂの最外周とほぼ同じであり、縦に３列、横に３行並んでいる９つのネット２１ａの後には大きな１つのＨＥＰＡフィルタ２２が存在する。
【００３６】
（２−３）脱臭フィルタ２３
脱臭フィルタ２３は、例えば活性炭などを含むように構成されており、ＨＥＰＡフィルタ２２を通過した空気中から例えば臭気成分、排ガス、及びホルムアルデヒドなどの室内空気汚染物質を吸着することができるように構成されている。脱臭フィルタ２３に吸着された例えば臭気成分、排気ガス及び室内空気汚染物質には、自然に分解され難いものがある。そのため、分解されずに残っているものが増えれば、脱臭フィルタ２３の吸着能力が低下する原因ともなる。活性種生成部４０から供給される活性種は、脱臭フィルタ２３に吸着されて分解されないものも分解する機能を有している。従って、活性種生成部４０から多くの活性種が供給されると、脱臭フィルタ２３の性能が維持される期間を延ばすことができる。
【００３７】
（２−４）ファン３０
図４には、ファンロータ３１を横切る水平面で、図３に示された空気清浄機１０を切断した断面が示されている。図４においては、前面パネル１２が取り外されていることから、空気清浄機１０の左右方向の中央部においては、前から順に、プレフィルタ２１、ＨＥＰＡフィルタ２２、脱臭フィルタ２３、加湿ロータ９１、ファンロータ３１及びファン３０のモータ３２が並んで見えている。
【００３８】
プレフィルタ２１の左右には、吸込口１５の右側の壁面１５ａと左側の壁面１５ｂがある。右側の壁面１５ａに沿って室内空気の流れＡｆ１が形成され、左側の壁面１５ｂに沿って室内空気の流れＡｆ２が形成される。これらの流れＡｆ１，Ａｆ２の途中に、通風路５２，５３がある。これらの流れＡｆ１，Ａｆ２に続いて、流れＡｆ３，Ａｆ４，Ａｆ５が前から後に向って形成されている。
【００３９】
図５に示すように、ファン３０のファンロータ３１の周囲にはファンロータ３１が発生させた空気の流れＡｆ６，Ａｆ７が形成される。ファン３０には、空気の流れＡｆ６，Ａｆ７を導くためのファンスクロール３３が設けられている。ファンロータ３１によって送風される空気の多くは空気の流れＡｆ６となりファンスクロール３３によって吹出口１６に導かれる。ファンスクロール３３に設けられている導入口３４によって空気の流れＡｆ７が分岐されてストリーマ放電ユニット４１（図６参照）に導かれる。そのために、導入口３４は、ストリーマ放電ユニット４１の内部空間Ｓ１に続いている。吹出口１６には、フラップ１７（図６参照）が設けられており、吹出口１６から吹き出される気流の向きを変えることができる。
【００４０】
（２−５）ストリーマ放電ユニット４１
ストリーマ放電ユニット４１は、図６及び図７に示されているように、放電電極４３と対向電極４４とを備えている。この実施形態では、放電電極４３と対向電極４４とによって活性種生成部４０が構成されている。放電電極４３は、放電針（図示せず）を有している。活性種生成部４０は、放電電極４３の放電針と対向電極４４との間でストリーマ放電を生じさせる。このストリーマ放電によって、活性種が生じる。
【００４１】
ストリーマ放電によって種々の活性種が生じ、例えば活性種を構成する元素及び活性種の状態によって活性種の寿命の長さが異なる。比較的寿命の長いオゾンＯ３の活性種は、例えば１０３秒程度の寿命を持っているのに対して、比較的寿命の短いＮ２の活性種は１０−４秒〜数秒程度の寿命しか持たない。
【００４２】
ストリーマ放電ユニット４１の前側には、第１供給口６１が設けられている。放電電極４３の近傍で生じた活性種は、この第１供給口６１を通って空気の流れＡｆ９とともに脱臭フィルタ２３に供給される。図２に示されている通風路５１は、ストリーマ放電ユニット４１の内部に形成されている経路であって、放電電極４３と対向電極４４の近傍から第１供給口６１までの前後に短い活性種供給路である。つまり、このような活性種供給路である通風路５１は、脱臭フィルタ２３を通過する空気流れ方向に見て活性種生成部である放電電極４３と対向電極４４から脱臭フィルタ２３までの間に配置された第１供給口６１を有しているということになる。このように、空気の流れＡｆ８，Ａｆ９とともに活性種を脱臭フィルタ２３まで届けるため、例えば比較的寿命の短いＮ２の活性種を寿命の期間内に十分に脱臭フィルタ２３に供給することができる。
【００４３】
ストリーマ放電ユニット４１の第１供給口６１の前には、導風板４６が設けられている。導風板４６は、空気の流れＡｆ９を発散させずに、プレフィルタ２１へと導く機能を有している。図８には、前面パネル１２が取り外された空気清浄機１０を前下方から見上げた状態が示されている。そのため、導風板４６によって隠れることなく、第１供給口６１を描くことができている。図８から分かるように、第１供給口６１は複数設けられている。この実施形態では第１供給口６１が４個設けられている。放電電極４３と対向電極４４は、いずれも左右の長い範囲に配置されており、これら４個の第１供給口６１の近傍に存在している。
【００４４】
（２−６）通風路５２，５３
通風路５２，５３は、例えば、図８、図９、図１０及び図１１に記載されている。通風路５２，５３は、ストリーマ放電ユニット４１の下から下方に向って上下方向に延びている。通風路５２，５３は、いずれも、筒状であって内部に空洞Ｓ２，Ｓ３（図４参照）が形成されている。通風路５２はプレフィルタ２１の右側に配置され、通風路５３はプレフィルタ２１の左側に配置され、通風路５２，５３のいずれもプレフィルタ２１に平行に延びている。通風路５２には、上下方向に並べて複数の第２供給口６２が設けられており、通風路５３には、上下方向に並べて複数の第２供給口６３が設けられており、これら第２供給口６２．６３が空洞Ｓ２，Ｓ３に繋がっている。この実施形態では、複数の第２供給口６２が等間隔に配置され、複数の第２供給口６３が等間隔に配置されている。
【００４５】
ストリーマ放電ユニット４１の内部空間Ｓ１は、図１０及び図１１に示されている貫通穴５４，５５に繋がる開口部（図示せず）を下方に有している。これら貫通穴５４，５５は、それぞれ通風路５２，５３の空洞Ｓ２，Ｓ３に繋がっている。
【００４６】
（３）変形例
（３−１）変形例１Ａ
上記実施形態では、活性種生成部４０である放電電極４３と対向電極４４が脱臭フィルタ２３の上に設けられているが、活性種生成部が脱臭フィルタ２３の下に設けられてもよい。
【００４７】
（３−２）変形例１Ｂ
上記実施形態では、脱臭フィルタ２３で活性種による分解が行われる場合について説明したが、プレフィルタ２１及び／またはＨＥＰＡフィルタ２２で活性種が活用されてもよい。さらには、他のフィルタをこれらのフィルタが設けられている場所に配置して他のフィルタで活性種が活用されるように構成されてもよい。
【００４８】
（３−３）変形例１Ｃ
上記実施形態では、活性種供給路である通風路５１と活性種生成部４０である放電電極４３と対向電極４４とがストリーマ放電ユニット４１として一体化している場合について説明したが、活性種供給路である通風路５１と活性種生成部４０である放電電極４３と対向電極４４とは、別部材として構成されてもよい。
【００４９】
（４）特徴
（４−１）
以上説明したように、脱臭フィルタ２３までの間に空気の流れＡｆ１〜Ａｆ４が通る機内の通風経路を通過する外れた位置に活性種生成部４０である放電電極４３と対向電極４４が配置されている。そして、図７及び図８を用いて説明したように、前後方向に見て、活性種供給路である通風路５１の第１供給口６１が、放電電極４３と対向電極４４から脱臭フィルタ２３までの間に配置されている。上述の実施形態では、脱臭フィルタ２３を空気が前から後にほぼ直線的に通過するので、前後方向が脱臭フィルタ２３を通過する空気流れ方向に一致する。上記実施形態では、正面視において第１供給口６１が対向電極４４と重なるが、このような場合も第１供給口が活性種生成部からフィルタまでの間に配置されているという条件を満たす。
【００５０】
活性種生成部４０で生成された活性種が第１供給口６１を通過して最短距離に近い経路を通るように脱臭フィルタ２３の空気流れ上流側に供給されるので、寿命の短い活性種、例えば比較的寿命の短いものの比較的エネルギーの高いＮ２なども活用することができるようになる。なお、変形例１Ｂで説明したように、脱臭フィルタ２３の代わりにプレフィルタ２１及び／またはＨＥＰＡフィルタ２２で活性種が活用される場合も同様の効果を奏する。
【００５１】
（４−２）
上記実施形態では、活性種生成部４０が脱臭フィルタ２３の上側に配置されていることから、横から室内空気を吸い込む空気清浄機１０においては、活性種生成部４０の設置によって機器の幅が拡大するのを抑制できている。脱臭フィルタ２３の下側に活性種生成部４０である放電電極４３と対向電極４４が配置される場合も、活性種生成部４０が脱臭フィルタ２３の上側に配置される場合と同様に、活性種生成部４０を設けることにともなう空気清浄機１０の大型化を抑制し易くなるという効果を奏する。
【００５２】
（４−３）
上記実施形態の空気清浄機１０においては、第１供給口６１が脱臭フィルタ２３の上側に配置されるとともに第２供給口６２がフィルタの左右に配置されていることから、比較的寿命の長い活性種を第２供給口６２から供給して活性種の供給量を増やすことができる。その結果、脱臭フィルタ２３に付着した物質に対する活性種による分解作用を高めることができる。
【００５３】
（４−４）
上記実施形態の空気清浄機１０においては、脱臭フィルタ２３を通過した空気流を導入口３４によって分流して、活性種を第１供給口６１に運ぶ空気流を形成するように構成されていることから、活性種供給専用のファンを省いても、第１供給口６１に寿命の短い活性種を運ぶのに適した空気流を形成することができている。その結果、コストの上昇を抑制しつつ第１供給口６１の風速を確保して寿命の短い活性種を十分に活用することができる。
【００５４】
（４−５）
上記実施形態の空気清浄機１０においては、導風板４６によって第１供給口６１から出た気流を脱臭フィルタ２３の方向に向けることから、第１供給口６１から出た気流が大回りするのを防ぐことができる。その結果、活性種生成後に短時間で活性種をフィルタへ到達させて寿命の短い活性種をより多く活用することができる。
【符号の説明】
【００５５】
１０  空気清浄機
２１  プレフィルタ
２２  ＨＥＰＡフィルタ
２３  脱臭フィルタ
３０  ファン
３１  ファンロータ
３４  導入口
４０  活性種生成部
４１  ストリーマ放電ユニット
４３  放電電極
４４  対向電極
４６  導風板
５１〜５３  通風路
６１  第１供給口
６２，６３  第２供給口
【先行技術文献】
【特許文献】
【００５６】
【特許文献１】特開２０１４−１０９３９０号公報